(57)【要約】【課題】  情報の媒体として有効であるとともに、ロール状に巻かれてその先端部がその中間部の表面に糊付けされてなるトイレットペーパーの先端部をその中間部から容易に外すことができるトイレットペーパーカバーを提供する。【解決手段】  本トイレットペーパーカバー１は、ロール状に巻かれてその先端部がその中間部の表面に糊付けされてなるトイレットペーパー４の外側に巻かれる長尺なトイレットペーパーカバー１であって、カバー２後端部の表裏両面に両面テープ３が接着され、カバー２中間部より先端側の表面にメッセージ及び／又は広告が印刷されており、カバー２がトイレットペーパー４に巻かれるときに、カバー２後端部の裏面に接着された両面テープ３がトイレットペーパー４の先端部に接着され、カバー２後端部の表面に接着された両面テープ３がカバー２中間部の裏面に接着されるものである。【選択図】      図３
2007000491.tif 000002
【特許請求の範囲】
【請求項１】
ロール状に巻かれてその先端部がその中間部の表面に糊付けされてなるトイレットペーパーの外側に巻かれる長尺なトイレットペーパーカバーであって、
カバー後端部の表裏両面に両面テープが接着され、
前記カバー中間部より先端側の表面にメッセージ及び／又は広告が印刷されており、
前記カバーが前記トイレットペーパーに巻かれるときに、
前記カバー後端部の裏面に接着された両面テープが前記トイレットペーパーの先端部に接着され、
前記カバー後端部の表面に接着された両面テープが前記カバー中間部の裏面に接着されることを特徴とするトイレットペーパーカバー。
【請求項２】
ロール状に巻かれてその先端部がその中間部の表面に糊付けされてなるトイレットペーパーの外側に巻かれる長尺なトイレットペーパーカバーであって、
カバー後端部の表裏両面に両面テープが接着され、
前記カバー中間部より先端側の表面にポケットが設けられており、
前記カバーが前記トイレットペーパーに巻かれるときに、
前記カバー後端部の裏面に接着された両面テープが前記トイレットペーパーの先端部に接着され、
前記カバー後端部の表面に接着された両面テープが前記カバー中間部の裏面に接着されることを特徴とするトイレットペーパーカバー。
【請求項３】
前記ポケットの表面にメッセージ及び／又は広告が印刷されていることを特徴とする請求項２記載のトイレットペーパーカバー。
【発明の詳細な説明】
【技術分野】
【０００１】
本発明は、ロール状に巻かれてその先端部がその中間部の表面に糊付けされてなるトイレットペーパーの外側に巻かれる長尺なトイレットペーパーカバーに関する。
【背景技術】
【０００２】
賃貸住宅や賃貸マンション等の賃貸物件を新規に借りて入居する場合、入居者は、入居前にカーテンのサイズを測る等の理由で賃貸物件を訪れた際や、引越してきた際に、賃貸物件のトイレを使用することがある。
【０００３】
しかしながら、従来、賃貸物件においては、不動産業者や賃貸物件のオーナー等の管理者がトイレットペーパーを備え付けておくことは殆どなく、入居者がトイレットペーパーを持ってきていない場合は、購入しに行かなければならず、近くにトイレットペーパーを購入できる店舗がないこともあり、入居者が不便な思いをすることがあった。また、賃貸物件のトイレにトイレットペーパーが備え付けてあっても、入居者は、誰が付けたものなのか、前の入居者の忘れ物なのか分からず、使用し難いという問題点があった。
【０００４】
そこで、ロール状のトイレットペーパーを保管する際にトイレットペーパーに巻くトイレットペーパーカバーがある（特許文献１参照）。このトイレットペーパーカバーによると、保管するトイレットペーパーがむき出しにならないため、ほこりや汚れが付き難く衛生的である。また、カバー表面にイラストや写真が印刷されており、美感上も良好である。
【特許文献１】実登3046917号公報
【発明の開示】
【発明が解決しようとする課題】
【０００５】
しかしながら、実用新案文献１のトイレットペーパーカバーでは、カバー表面にイラストや写真が印刷されているが、メッセージや広告等の管理者側から入居者に伝えたい情報が印刷されてはおらず、情報の媒体としては有効ではなかった。
【０００６】
また、一般に、市販されているトイレットペーパーは、ロール状に巻かれてその先端部の裏面が中間部の表面に糊付けされており、未使用のトイレットペーパーを使用する場合は、先端部を中間部から外さなくてはならず、手間がかかった。
【０００７】
本発明は、上記の課題に鑑みてなされたものであり、情報の媒体として有効であるとともに、ロール状に巻かれてその先端部がその中間部の表面に糊付けされてなるトイレットペーパーの先端部をその中間部から容易に外すことができるトイレットペーパーカバーを提供することを目的とする。
【課題を解決するための手段】
【０００８】
上記目的を達成するために、請求項１記載のトイレットペーパーカバーは、ロール状に巻かれてその先端部がその中間部の表面に糊付けされてなるトイレットペーパーの外側に巻かれる長尺なトイレットペーパーカバーであって、カバー後端部の表裏両面に両面テープが接着され、前記カバー中間部より先端側の表面にメッセージ及び／又は広告が印刷されており、前記カバーが前記トイレットペーパーに巻かれるときに、前記カバー後端部の裏面に接着された両面テープが前記トイレットペーパーの先端部に接着され、前記カバー後端部の表面に接着された両面テープが前記カバー中間部の裏面に接着されることを特徴としている。
【０００９】
請求項２記載のトイレットペーパーカバーは、ロール状に巻かれてその先端部がその中間部の表面に糊付けされてなるトイレットペーパーの外側に巻かれる長尺なトイレットペーパーカバーであって、カバー後端部の表裏両面に両面テープが接着され、前記カバー中間部より先端側の表面にポケットが設けられており、前記カバーが前記トイレットペーパーに巻かれるときに、前記カバー後端部の裏面に接着された両面テープが前記トイレットペーパーの先端部に接着され、前記カバー後端部の表面に接着された両面テープが前記カバー中間部の裏面に接着されることを特徴としている。
【００１０】
請求項３記載のトイレットペーパーカバーは、請求項２記載のトイレットペーパーカバーにおいて、前記ポケットの表面にメッセージ及び／又は広告が印刷されていることを特徴としている。
【発明の効果】
【００１１】
本発明の請求項１のトイレットペーパーカバーによれば、カバー後端部の表裏両面に両面テープが接着され、カバー中間部より先端側の表面にメッセージ及び／又は広告が印刷されているため、メッセージ及び／又は広告を伝える媒体として有効である。また、カバーが前記トイレットペーパーに巻かれるときに、カバー後端部の裏面に接着された両面テープがトイレットペーパーの先端部に接着され、カバー後端部の表面に接着された両面テープが前記カバー中間部の裏面に接着されるため、未使用のトイレットペーパーの先端部をその中間部から容易に外すことができる。
【００１２】
請求項２のトイレットペーパーカバーによれば、カバー後端部の表裏両面に両面テープが接着され、前記カバー中間部より先端側の表面にポケットが設けられているため、ポケットにさまざまな情報が記載された用紙等を入れることができ、情報の媒体として有効である。また、カバーが前記トイレットペーパーに巻かれるときに、カバー後端部の裏面に接着された両面テープがトイレットペーパーの先端部に接着され、カバー後端部の表面に接着された両面テープが前記カバー中間部の裏面に接着されるため、未使用のトイレットペーパーの先端部を中間部から容易に外すことができる。
【００１３】
請求項３のトイレットペーパーカバーによれば、請求項２記載のトイレットペーパーカバーの効果に加えて、ポケットの表面にメッセージ及び／又は広告が印刷されているため、メッセージ及び／又は広告を伝える媒体として有効である。
【発明を実施するための最良の形態】
【００１４】
以下、本発明の第１の実施形態に係るトイレットペーパーカバーについて図面に基づいて説明する。
図１及び図２は、第１の実施形態に係るトイレットペーパーカバー１の概略構成を示す側面図及び正面図であり、図示するように、カバー２、及び両面テープ３を主体に構成される。
【００１５】
カバー２は、強く引張っても破れない程度の強度を有する長尺な紙からなり、その後端部の表裏両面に両面テープ３が接着されている。カバー２を市販されているロール状に巻かれてその先端部がその中間部の表面に糊付けされてなるトイレットペーパー４の外側に巻いて取り付ける場合は、図３及び図４に示すように、カバー２の後端部の裏面に接着された両面テープ３をトイレットペーパー４の先端部に接着し、カバー２をトイレットペーパー４に巻くとともに、カバー２の後端部の表面に接着された両面テープ３をカバー２の中間部の裏面に接着して取り付ける。
【００１６】
このようにしてトイレットペーパーカバー１をトイレットペーパー４に取り付けて、ホルダ５に装着してトイレットペーパー４を使用する際には、カバー２の先端部を手前に引張ることにより、カバー２の後端部の表面と中間部の裏面を接着した両面テープ３が外れ、また、カバー２の後端部の裏面に接着した両面テープ３によりトイレットペーパー４の先端部が引張られて該先端部が糊付けされた中間部から外れるため、トイレットペーパー４の先端部を中間部から容易に外すことができる。なお、トイレットペーパー４の先端部が中間部から外れた後も、カバー２の後端部の裏面とトイレットペーパー４の先端部が両面テープ３により接着されているため、カバー２の後端部の裏面をトイレットペーパー４の先端部から外して使用する。
【００１７】
また、カバー２の中間部より先端側の表面には、メッセージ及び／又は広告が印刷されており、例えば、図２及び図４に示すように、「この度はご入居いただきありがとうございます。どうぞ御自由にお使い下さい。」といったメッセージや、「○○不動産株式会社」といった会社名が印刷されている。これにより、トイレットペーパーカバー１を取り付けたトイレットペーパー４をホルダ５に装着した際に、トイレの使用者がカバー２に印刷されたメッセージや会社名を視認できる。
【００１８】
以上の構成のトイレットペーパーカバー１を使用する具体例としては、不動産業者やオーナー等の賃貸物件の管理者が、サービスの一環として、トイレットペーパーカバー１が取り付けられたトイレットペーパー４を賃貸物件のトイレのホルダ５に装着しておくことが挙げられる。これにより、新規に賃貸物件に入居する入居者に良好なサービスとしてトイレットペーパー４を提供できるとともに、カバー２に印刷されたメッセージや広告による宣伝効果も期待できる。
【００１９】
以上の説明より明らかなように、本発明の第１の実施形態に係るトイレットペーパーカバー１によれば、メッセージ及び／又は広告を伝える媒体として有効であるとともに、未使用のトイレットペーパー４の先端を中間部から容易に外すことができる。
【００２０】
なお、本発明は上記実施形態に限定されるものではなく、本発明の要旨の範囲内で種々の変形実施が可能である。例えば、本実施形態では、トイレットペーパー４を自由に使える旨を伝えるメッセージと会社名をカバー２に印刷したが、メッセージや広告の内容はこれらに限らず、引越し後に連絡が必要な電気、水道、ガス等の会社の連絡先を記載し、連絡を忘れずにという旨のメッセージを印刷してもよい。
【００２１】
次に、本発明の第２の実施形態に係るトイレットペーパーカバーについて図面に基づいて説明する。
図５及び図６は、第２の実施形態に係るトイレットペーパーカバー１の概略構成を示す側面図及び正面図であり、図示するように、カバー２、両面テープ３、及びポケット６を主体に構成される。
【００２２】
カバー２は、第１の実施形態と同様に、強く引張っても破れない程度の強度を有する長尺な紙からなり、その後端部の表裏両面に両面テープ３が接着されている。カバー２を市販されているロール状に巻かれてその先端部がその中間部の表面に糊付けされてなるトイレットペーパー４の外側に巻いて取り付ける場合は、図７及び図８に示すように、カバー２の後端部の裏面に接着された両面テープ３をトイレットペーパー４の先端部に接着し、カバー２をトイレットペーパー４に巻くとともに、カバー２の後端部の表面に接着された両面テープ３をカバー２の中間部の裏面に接着して取り付ける。
【００２３】
このようにしてトイレットペーパーカバー１をトイレットペーパー４に取り付けて、ホルダ５に装着してトイレットペーパー４を使用する際には、第１の実施形態と同様に、カバー２の先端部を手前に引張ることにより、カバー２の後端部の表面と中間部の裏面を接着した両面テープ３が外れ、また、カバー２の後端部の裏面に接着した両面テープ３によりトイレットペーパー４の先端部が引張られて該先端部が糊付けされた中間部から外れるため、トイレットペーパー４の先端部を中間部から容易に外すことができる。なお、トイレットペーパー４の先端部が中間部から外れた後も、カバー２の後端部の裏面とトイレットペーパー４の先端部が両面テープ３により接着されているため、カバー２の後端部の裏面をトイレットペーパー４の先端部から外して使用する。
【００２４】
また、カバー２の中間部より先端側の表面には、図６及び図８に示すように、ポケット６が設けられている。ポケット６は、側方と下方の三方がカバー２の表面に固着され、上方が開口しており、さまざまな情報が記載されたチラシやメモ等の用紙７を入れることが可能である。このポケット６の表面には、メッセージや、会社名等の広告が印刷されており、これにより、トイレットペーパーカバー１を取り付けたトイレットペーパー４をホルダ５に装着した際に、トイレの使用者がポケット６に印刷されたメッセージや、会社名等の広告を視認できる。
【００２５】
以上の構成のトイレットペーパーカバー１を使用する具体例としては、第１の実施形態と同様に、不動産業者やオーナー等の賃貸物件の管理者が、サービスの一環として、トイレットペーパーカバー１が取り付けられたトイレットペーパー４を賃貸物件のトイレのホルダ５に装着しておくことが挙げられる。これにより、新規に賃貸物件に入居する入居者に良好なサービスとしてトイレットペーパー４を提供できるとともに、ポケット６に地域の情報や引越し後に連絡が必要な電気、水道、ガス等の会社の連絡先等が記載された用紙７を入れることができるため、多くの情報を入居者に伝えることができ、入居者に対してより良好なサービスを提供できる。さらに、ポケット６に印刷されたメッセージや広告による宣伝効果も期待できる。
【００２６】
以上の説明より明らかなように、本発明の第１の実施形態に係るトイレットペーパーカバー１によれば、ポケット６にさまざまな情報が記載されたチラシやメモ等の用紙を入れることができるため、情報の媒体としてより有効である。また、未使用のトイレットペーパー４の先端を中間部から容易に外すことができる。さらに、メッセージ及び／又は広告を伝える媒体として有効である。
【００２７】
なお、本発明は上記実施形態に限定されるものではなく、本発明の要旨の範囲内で種々の変形実施が可能である。例えば、本実施形態では、ポケット６には、地域の情報や引越し後に連絡が必要な電気、水道、ガス等の会社の連絡先等が記載された用紙７を入れたが、ポケット６に入れるものはこれに限らず、引越し時に必要となる軽量の掃除用具であってもよい。
【産業上の利用可能性】
【００２８】
本発明は、不動産業者やオーナー等の賃貸物件の管理者などによるサービスとしてトイレットペーパーを提供する場合に利用可能である。
【図面の簡単な説明】
【００２９】
【図１】本発明の第１の実施形態に係るトイレットペーパーカバーの概略構成を示す側面図である。
【図２】本発明の第１の実施形態に係るトイレットペーパーカバーの概略構成を示す正面図である。
【図３】本発明の第１の実施形態に係るトイレットペーパーカバーの使用状態を示す側面図である。
【図４】本発明の第１の実施形態に係るトイレットペーパーカバーの使用状態を示す正面図である。
【図５】本発明の第２の実施形態に係るトイレットペーパーカバーの概略構成を示す側面図である。
【図６】本発明の第２の実施形態に係るトイレットペーパーカバーの概略構成を示す正面図である。
【図７】本発明の第２の実施形態に係るトイレットペーパーカバーの使用状態を示す側面図である。
【図８】本発明の第２の実施形態に係るトイレットペーパーカバーの使用状態を示す正面図である。
【符号の説明】
【００３０】
１    トイレットペーパーカバー
２    カバー
３    両面テープ
６    ポケット
【図１】
2007000491.tif 000003
【図２】
2007000491.tif 000004
【図３】
2007000491.tif 000005
【図４】
2007000491.tif 000006
【図５】
2007000491.tif 000007
【図６】
2007000491.tif 000008
【図７】
2007000491.tif 000009
【図８】
2007000491.tif 000010